(57)【特許請求の範囲】
【請求項１】
ケースと、
前記ケースにおいて画像面を定める撮影レンズと、
前記撮影レンズによって画像面に形成された一連の画像をキャプチャーするキャプチャー部と、
前記画像面に位置合わせされたファインダ視野を表示するファインダと、
前記ファインダ視野に相対する主ポジションと副ポジションとの間で切替可能なロケータであって、前記主ポジションにおいては、前記ファインダ視野の第１の区画を１つ以上の領域に分割し、前記副ポジションにおいては、前記ファインダ視野の第２の区画を複数の領域に分割するロケータと、
前記分割された区画の各領域に対し、複数の画像修正ステートを決定する複数のキャプチャー設定を切替可能なセレクタと、
を含むカメラ。
【請求項２】
請求項１に記載のカメラにおいて、
前記各領域は前記ファインダから見ることができ、
前記ロケータは、前記主ポジションと、複数の副ポジションとの間で切替でき、前記副ポジションの各々では、前記ファインダ視野を複数の異なる領域に分割し、前記キャプチャー設定の各々は、前記分割された区画の各領域に対する異なる画像修正ステートを識別し、
前記ロケータは、複数の焦点板を有し、前記焦点板のそれぞれは、異なるラインパタンを有し、前記ロケータが前記各副ポジションにあるときに、各ラインパタンが前記ファインダ視野を分割するように前記ファインダ視野に配置され、前記複数の焦点板は、前記ファインダのウインドウの最大辺に平行な長軸を有する楕円形の被写体領域を有する第１の焦点板と、前記ファインダのウインドウの最大辺に垂直な長軸を有する楕円形の被写体領域を有する第２の焦点板とを含むことを特徴とするカメラ。
【請求項３】
写真フィルムとともに使用するカメラであって、
ケースと、
前記ケースにおいて画像面を決定する撮影レンズと、
フィルムの個々のフレームを露光ごとに前記画像面を通過させて搬送するべく配置されたフィルムシステムと、
前記撮影レンズの物体面に位置合わせされたファインダ視野を決定するファインダと、
前記フレームに接続され、各々が背景領域と当該背景領域中に配置された被写体領域とを有する複数の焦点板を備えたロケータであって、前記フレームに対し、主ポジションと複数の副ポジションのそれぞれの間を移動可能であり、前記各副ポジションにおいては、前記背景領域と被写体領域とが前記ファインダ視野を複数の領域に分割するように、個々の焦点板が前記フレームに配置されたロケータと、
複数のキャプチャー設定を切替可能なセレクタであって、前記キャプチャー設定のそれぞれは、前記位置の１つを選択された位置として識別し、さらに前記副ポジションに対し、前記ファインダ視野の各領域に対知る複数の画像修正ステートの１つを識別するセレクタと、
を含むカメラ。
【発明の詳細な説明】
【０００１】
【発明の属する技術分野】
本発明は、写真をキャプチャーするカメラ及び写真システムに係り、特に画像の変形を行うカメラ及び写真システム及びフィルムパッケージに関する。
【０００２】
【従来の技術】
以下の説明で「使い切りカメラ」とは、予めフィルムが装填された状態で消費者に供給され、消費者がカメラをある程度分解し、部品を交換し、あるいは特別な工具を用いない限りフィルムを交換できない（リロードできない）カメラを意味する。
【０００３】
今日、このような使い切りカメラが広く利用されている。一方、ディジタル使い切りカメラは、コスト上の理由から、使用済みのカメラがフィルムの交換のために販売者や製造者に確実に返却されるという制約条件付きの使用に限られているのが現状である。
【０００４】
写真は通常、画像をプリント又は表示して視覚的イメージを再生することを目的とする。画像は創作上の目的で修正されることがあり、このような修正は、光学系に改良を施して画像のキャプチャー時に行うか、あるいは、画像のキャプチャー後に、キャプチャーされた画像のディジタルな処理、又は物理的な処理により行われる。フィルタ及び他の光学的変換器が広く知られているが、これらを利用して所望の効果を得るにはかなりの技術を習得する必要がある。ユーザが画像をディジタル的に修正できるディジタル画像修正ソフトウエアも広く利用されている。具体的に、このようなソフトウエアとしては、メタクリエーションズ社（MetaCreations, Cartinteria, California）からリリースされているKai's Power Goo（商標）がある。このようなディジタル画像修正ソフトウエアは、収差を起こさせたり、カラーリマッピング（remapping colors）処理を行ったり、又はこれら両方を行って、必要に応じて全体的又は部分的にディジタル画像を修正できる。部分的な領域の選択と、特定の修正とは、編集中に目で見ながら行うことができる。このような画像修正ソフトウエアでは、コンピュータの使用が必須であり、ユーザ側にある程度のレベルの知識が必要であるとともに、ディジタル画像を入力し、修正後の画像をプリント媒体又はそのほかの形態で出力するための装置も必要である。一般的に、このようなソフトウエアを用いて、ちょっとした加工をしたり、あるいは逆にリアルな写真を抽象的な芸術作品に変えてしまうような大きな変更を加えるのは、大変簡単にできる。それに対して通常、制御された結果を得るのは非常に難しい。制御された結果とそれに対してかかるコストとを考えると、ディジタル画像の芸術的な加工（transmogrification）は、多くの専門家でない人々、例えば素人写真家には適していないといえる。ディジタル画像修正ソフトウエアのもう一つの問題は画像の修正と画像のキャプチャーとが完全に別個の操作になっていることである。従って、特定の修正に適した画像をキャプチャーしたい場合には、ユーザは修正後の画像を考慮しつつ写真のキャプチャーをする必要がある。
【０００５】
種々の写真フィルムシステムが開示されている。例えば、米国特許第４，６５０，３０４号、４，５８３，８３１号、５，０５９，９９３号、５，６１９，７３８号及び５，１３２，７１５号等である。これらの特許に係る発明においては、予め設定され、又は選択された符号データ（encodement）に応じて、画像が処理中に自動的に拡大されたり、トリミング（画像の一部のみの切り取り）されたり、これら両方が行われたりする（ここで「処理」とは、プリントその他の画像を可視化する準備を意味し、特に明示しない限りプリント作業を含むものとする）。アドバンスト・フォト・システム（Advanced Photo System（商標）；ＡＰＳ（商標））においては、潜在的な画像が標準フォーマット（Ｈフォーマットと呼ばれる）でキャプチャーされ、フィルム上に記録されている磁気的、光学的な符号データに応じて標準フォーマットやその他の２つの別のフォーマット（Ｃ又はＰ）のいずれかでプリントされる。
【０００６】
カメラは普通、選択された写真の大きさをユーザに示すため、ファインダマスク又はマークを表示する。また、変わった（標準的でない）画像のキャプチャーを助けるためのファインダ及びファインダ部品が例えば米国特許第４，５８３，８３１号、４，６５０，３０４号、５，５８７，７５５号、５，６１９，７３７号、５，６１９，７３８号、及び米国再発行特許第３２，７９７号に開示されている。一つのモードしかない使い切りカメラでは、このようなマスクが取り付けられており、そのパッケージや包装の外部に特定モードを表すマーク（indicia）が付されている。複数のモードがある再使用可能なカメラや使い切りカメラでは、このマスクが、異なるマスキング位置の間で移動できるようになっている。これらのカメラでは選択されたモードをユーザに知らせるためのインジケータを備える。
【０００７】
米国特許第５，７５８，２１６号に開示される写真システム、フィルムパッケージ及びカメラにおいては、使い切りカメラ又はフィルムパッケージの外側に特殊なプロモーション用のマークを表示しておき、内部のフィルムに対応する磁気的な符号データを格納しておく。このような特殊なプロモーションには、予め露光されたり、又はディジタル画像による漫画のキャラクターやその他のシンボルを含むフォトモンタージュ（合成画像）、過飽和色処理（super saturated color processing）、及び拡大サイズプリントが含まれる。使い切りカメラのファインダを加工しておくことで、合成後の最終プリントにおける漫画キャラクター等の位置を示しておくこともできる。また、再使用可能なカメラのファインダでこれらの位置を表すために、ファインダに一時的に装着するオーバーレイ（上敷き）を用いてもよい。米国特許第５，７５８，２１６号の合成画像の場合、（マスキング又はディジタル的な処理により）カメラの視野の一部を切り捨てて、切り捨てた部分に別の画像成分を置き換えて配置する。結果的に得られる画像では、置き換えられなかった部分は、撮像システムの能力の限度においてオリジナルの光の像と同一の情報を保持している。すなわち、置き換えられなかった部分は「整像的（orthoscopic）」である。
【０００８】
これらの方法で拡大され、トリミングされ、又は合成された最終的な画像はリアルである。すなわち、使用される装置の品質公差の範囲において、最終画像は、キャプチャーされた被写体から反射又は伝搬した可視画像と著しく異なる訳ではない。合成画像の場合、２番目の写真露出をマスキングすることにより、２つの露出が物理的に合成されている。あるいは同じ効果がディジタル的に得られる。しかしながら、いずれの画像も合成以前の段階ではリアルである（あるいは、ディジタル成分の場合には、ディスプレイ又はプリントアウトから見るとすればリアルである）。結果として最終的な合成画像もリアルである。オリジナル画像の一部は、キャプチャー中に画像の一部をマスキングして、又は処理中に一部をディジタル的に除去して破棄する。マスキングは２つの画像を重ね合わせた最終画像を生成する透明度の属性によって実現してもよい。このようなタイプの画像修正、すなわちズーム、トリミング、回転、合成、そしてこれらの組み合わせによる処理を行い、破棄されない画像情報に対しては変更を行わないというような画像修正を、以下では「整像的修正（orthoscopic modifications）」と称する（画像の縮小は、画像の拡大に比べて一般的に用いられるものではないが、これも「整像的修正」の範囲にある。この場合、破棄された情報は、フィルムの粒度（grain）、プリンタ解像度等の制限範囲で画像全体に均一に分布している）。画像の収差及びカラーリマッピング等破棄されない画像情報を変更するような、その他の修正を、ここでは「非整像的修正」と称する。
【０００９】
米国特許第５，７２６，７３７号には、使い切りカメラ又はフィルムパッケージが、動きのある写真や風景写真、クローズアップ写真等、そのカメラやフィルムに適した被写体を表すマークを外装に表示し、内部のフィルムが対応する磁気符号データを格納した、写真システム、フィルムパッケージ及びカメラが開示されている。上記の米国特許第５，７５８，２１６号及び第５，７２６，７３７号には、過飽和プリントや被写体に適した、画像全体に対する非整像的修正が開示されている。また、米国特許第５，４６１，４４０号には、フィルム上の符号データを用いて画像品質の劣化を補正する非整像的な画像修正が開示されている。
【００１０】
さらに、米国特許第５，３２３，２０４には、符号データを用いてアスペクト比を変え、フィルムやカメラによる制限、アーティファクト（artifacts）、誤差等の品質劣化の補償だけでなく、さらなる画像品質の向上を行う技術が開示されている。品質の向上の例としては、ノイズ抑制、シャープネスの強調、トーンスケールの補正等がある。
【００１１】
【発明が解決しようとする課題】
しかしながら、上記従来のカメラでは、画像修正のための区画に基づいて写真を合成する方法を選択する操作は困難であり、利便性が低いという問題点があった。
【００１２】
本発明は上記実情に鑑みて為されたもので、画像のキャプチャーに先だって、画像修正のために写真の区画に切り、その区画に基づいて写真を合成する方法を複数のうちから１つ、ユーザが選択できる、簡単で利便性の高い方法を有したカメラを提供することを目的とする。
【００１３】
【課題を解決するための手段】
本発明は、請求項によって定められ、より広い態様においては、ケースと、このケース内に画像面を定める撮影レンズとを有するカメラを提供する。前記カメラのキャプチャー部は、撮影レンズにより画像面に形成された一連の画像をキャプチャーする。カメラは画像面に位置合わせされたファインダ視野を表示するファインダを有する。さらに、カメラはファインダ視野に対して主ポジションと副ポジションとの間で切替可能なロケータを有する。前記副ポジションにおいてロケータは前記ファインダ視野の区画を複数の領域に分割する。カメラは、複数のキャプチャー設定を切替可能なセレクタを有する。各キャプチャー設定は複数の画像修正ステートの少なくとも１つを識別する。少なくとも１つのキャプチャー設定は、前記区画を識別し、異なる画像修正ステートを各領域に対応づける。
【００１４】
本発明の少なくとも一部の実施形態における効果として、画像のキャプチャーに先立ち、画像修正のために写真を区画に分割し、その区画に基づいて前記写真を合成する複数の方法から１つをユーザが選択できる、簡便で利便性を向上できるカメラが提供できる。
【００１５】
【発明の実施の形態】
本発明の実施の形態について図面を参照しながら説明する。
【００１６】
図１には、本発明の実施の形態に係る、複数の画像修正ステートと、部分領域／全体領域モードとを切り替え可能なカメラ１０が図示されている。また、この図１には、被写体面及び画像面が破線で示され、キャプチャー部１８及びエンコーダも破線で示されている。カメラ１０は、ケース１２と、このケース１２内部に画像面１６（image plane）を形成する撮影レンズ１４を有する。キャプチャー部１８が撮影レンズ１４によって画像面１６に形成された一連の画像をキャプチャーする。このキャプチャー部１８は、例えば、フロッピーディスクやメモリカードなどの磁気又は光学的記録媒体や電子ディジタルメモリにディジタル的に画像をキャプチャーするキャプチャー部であってもよいし、写真フィルムを用いたフィルムによるキャプチャー部であっても構わない。ここで写真フィルムは、フィルムカセットに入っていても入っていなくてもよい。フィルムによる場合には、カメラ１０は、図示しないフィルム搬送部を含み、このフィルム搬送部により、フレームごとに画像面を通過させて、フィルムのフレーム上に一連の潜在的画像（latent images）をキャプチャーする。すなわち、フィルム搬送部は、露光のたびに画像面を通過させてフィルムを搬送するフィルムシステムとして動作する。
【００１７】
キャプチャー部１８は、従来の写真フィルム又はディジタル記録媒体であり、ユーザにより選択された画像修正とは無関係に画像のキャプチャーを行う。すなわち、キャプチャーした画像自体は、従来と同様に修正前の状態でプリント可能であり、被写体のリアルな画像を保持する。本発明のシステム６４においては、キャプチャーされたリアルな画像に基づいた修正は、最終的な画像を準備する際に行われて、選択された修正がなされた最終画像を提供できるようになっている。つまり、キャプチャーの際にユーザが選択した画像修正の情報とは別個に、リアルな画像がフィルムやメモリ等のキャプチャー部１８に保持され、最終的な画像を出力する際に、キャプチャー部１８が保持するリアルな画像に対し、選択された修正の情報に基づいて画像の修正が為されるのである。
【００１８】
カメラ１０は、セレクタ２０を含み、このセレクタ２０は、さらに、画像面１６上の複数の異なる領域を識別する領域指定部２２を含む。この領域指定部２２は、画像面１６の一部特定の領域を選択し、指定する切り替えを行うことができる。セレクタ２０はさらに、複数の画像修正ステートを切り替えることができ、選択されたモードを指定する修正指定部２４を含む。この領域の選択、及び画像修正ステートの詳しい内容については後述する。
【００１９】
セレクタ２０は、キャプチャーに伴って選択された領域及び画像修正ステートを、それぞれの変更設定（キャプチャー設定）として記録するエンコーダ２６に接続されている。この記録の実体は、キャプチャー部１８の性質に依存している。例えば、キャプチャー部１８がＡＰＳ（商標）フィルムにキャプチャーを行う場合には、変更設定はＡＰＳ（商標）フィルム上に磁気的又は光学的に記録できる。また、変更設定は単なる符号データとして、又は装置に対するインストラクションの形で記録されてもよいし、特定のキャプチャー画像と物理的に関連づけて記録したり、論理的に関連づけて記録したりしてもよい。つまり、画像はフィルムに保持させ、変更設定のデータは別途フロッピー等に保持させて対応づけ（論理的に対応づけ）ておき、最終的な画像を形成するにあたって、これらの対応づけに基づいて処理を行っても構わない。ただし以下の説明では便宜上、対応するキャプチャー画像に対して変更設定を表す符号データが物理的に関連づけられている場合について説明する。
【００２０】
各変更設定は、少なくとも一つの領域と、当該領域に関連する修正ステートとを特定する。ここで簡単に使用できるよう、変更設定は、予め設定された領域モードの中から領域を指定し、画像修正ステートはいずれも予め設定されていることが大変好ましい。
【００２１】
次に、本実施の形態のカメラの動作について、図２〜図７を参照しつつ説明する。領域モードは、（図２〜図７において「ａ」から「ｌ」のアルファベット文字で表されている）１つ又は２つ以上の領域に分割された、予め定められた画像面の座標上の区画（geometric partitions）と、キャプチャーされた画像及び最終的な画像で、それに対応する座標上の区画を特定する。ここでは、便宜的に上記の区画とその領域とを画像面に関して説明する。領域モードは全体的（global）又は部分的（local）のいずれかである。全体的領域モードでは、図２に示すように、座標区画は、画像面１６又はキャプチャー画像又は最終的な画像等の全体をカバーする１つの領域からなる。一方、図３から図７に示すように種々の部分的領域モードでは、各区画が２つ以上の領域からなる（便宜上、部分的領域モードの領域を以下「部分領域」と称する）。各部分領域は、画像面１６及び対応する画像の一部のみに相当している。各部分的領域モードでの領域は相補的であり、それぞれ合体して画像面全体を覆う。
【００２２】
部分領域は、いかなる形状であってもよい。通常の使用では、部分領域モードでの各区画は画像面１６を単純な形状の領域と、その残りの部分である背景領域とに分割するのが好ましい。これにより、ユーザは主たる特徴部分を被写体として取り出すとともに、背景領域を背景として取り出すことができる。この被写体の領域は想定される前景の被写体の形状に大まかに一致させておく。例えば図３〜図７では、それぞれ中央に位置する横長の楕円、中央に位置する縦長の楕円、中央に位置する長方形、下部に位置する長方形、及び一対の縦長楕円形状からなる被写体領域と、それに相補的な関係にある背景領域とからなる領域モードを図示している。これらの部分領域モードは、車やペット（図３）、人物の顔（図４）、人物や物体の集合（図５〜図７）のキャプチャーに適している。図２から図５では、被写体領域がいずれも中央にあって、背景領域に囲まれている。このようにしておけば容易に使用できるので好ましいが、例えば図６と図７とに示すように、中央に位置していない被写体領域や複数の被写体領域を用いてもよい。
【００２３】
領域指定部２２は、個々の領域ではなく、むしろ領域モードを指定するように設定されていても構わない。この場合には、指定された領域モードは、１つ又はそれ以上の予め設定された修正の被写体領域を含む（必要であれば、各画像修正ステートもまた、予め設定しておいて構わない）。この領域指定部２２は、領域モードを順次選択し、修正を行う１又はそれ以上の対応する区画をさらに指定するものとしてもよい。適用可能な画像修正ステートは、予め選択されていてもよいし、後から選択することとしてもよい。区画の指定をも行う領域指定部２２を、以下で区別のため、特に「区画指定部２２ａ」と称する。
【００２４】
１つ以上の画像修正ステートが領域指定部２２によって指定された各領域に関連づけて設定される。２種類の画像修正ステートとして、修正なし又は修正ありのそれぞれのステートを備えておくことが好ましい。修正なしのステートでは、画像は整像的に維持される。すなわち、最終的な画像を出力するにあたり、オリジナルの画像に全く変更がないか、又はズームとトリミングのいずれか一方、又はこれらの両方のみの変更が加えられる。この修正なしのステートは、例えばカラーフィルムネガからのディジタルプリントの一部であるディジタルカラー反転等、通常処理の一部としてキャプチャーされた画像に適用されるディジタル画像修正を除外するものではない。必要であれば、複数の修正なしのステートを含めて、異なるプリントフォーマット又は他のズーム及びトリミングを適用してもよい。
【００２５】
修正ありのステートでは、画像の修正がなされる。すなわち、最終画像を出力する前に画像が非整像的に加工される。各修正画像の修正ステートは、１又はそれ以上の非整像的画像修正が含まれている。必要であれば整像的画像修正を非整像的画像修正とともに行ってもよい。この非整像的画像修正ステートの性質は、ユーザの設定と、色域等のプリント装置の現実的な制限に関係している。修正なしのステートではなく、修正ありのステートが設定されるのは、主として芸術的な変換（transmogrification）、すなわち大胆であり（かつグロテスクであったりユーモラスであることが多い）、またそれとともにオリジナルのキャプチャー対象としての被写体をユーザが直ちに認識できるように、キャプチャーした画像の情報の内容を十分に保持するためであると考えられる。さらに、別の修正ステートが設定される理由は、「芸術的効果」としての修正、すなわち絵画その他の形態の芸術で用いられる情報内容のスタイルに似せる修正をするためであると考えられる。一般的には、現在のところ、カメラ１０は一般のカメラの「通常レンズ」モードに相当する修正なしの画像修正ステートと、１つ又はそれ以上の修正有りの画像修正ステートとを含むことが好適である。
【００２６】
画像修正とその適用領域は、ユーザがキャプチャーされた画像の変更設定を選択することで決められる。カメラは、各露出後にセレクタが戻るようなデフォルト変更設定を備えてもよい。この場合には、露出ごとに所定のデフォルト位置にセレクタが戻ることになる。また、カメラは、ユーザが変更するまで、直前に設定された変更設定を維持してもよい。このようにすれば、一旦設定された変更設定が解除されるまで適用される。いずれの場合でも、選択は画像のキャプチャーに伴って、すなわち、キャプチャーの直前又は直後になされる。ユーザが写真の構図を取りながら、変更設定を選択できるので、キャプチャーの直前に選択を行うことが好ましい。これにより写真をどのようにするか、さらにある写真をキャプチャーするか否かまでもが変わる可能性がある。変更設定はキャプチャーの直後であって、次のキャプチャーの前にも設定できる。ただし、この場合には、ユーザが混乱して間違ったり、設定の入力を忘れたりする場合を考慮して、望ましくないと思われるならば、その設定ができないようにしてもよい。また、設定可能な時期をさらに延ばし、より後で変更設定を行ってもよい。この場合にも、上記の誤りや入力忘れのリスクが高まって、変更設定による利益が実質的に失われると思われるならば、その設定ができないようにしてもよい。
【００２７】
変更設定は、キャプチャーされた画像のうち、指定された領域に対し１つ以上の修正ステートを設定する。変更設定は、予め設定された画像修正ステートとそれに関連する領域モードとの組み合わせを含むものでもよい。また変更設定は、各々無関係に変更可能な領域モードと画像修正ステートとの組み合わせであってもよい。
【００２８】
１つの変更設定は、画像面全体をカバーする領域について修正なしとしたり、画像面全体の領域を白黒画像とする修正としたりする等、一つの領域（及び領域モード）と、その領域に対する画像修正モードとを含むものでもよい。また、変更設定は、複数領域からなる単一領域モードと、各領域に対する画像修正ステートとを含んでもよい。具体的には、変更設定は、長方形の被写体領域には修正なしとし、背景領域はセピアトーンとしてもよい。さらに、変更設定は複数の領域モードと修正ステートとをカバーしてもよい。例えば、変更設定は、楕円形の被写体領域をセピア調に着色し、背景に修正を加えない第１のキャプチャーモードと、同じ楕円形の被写体領域の画像を反転させ、背景領域には修正を加えない第２のキャプチャーモードとを組み合わせて適用する（これらの２つの修正、すなわちセピア調に着色する処理と反転の処理とを組み合わせて１つの修正ステートとしてもよい）。これにより、楕円形の被写体領域はセピア調を反転した状態となり、背景領域は修正がされず、もとの画像のままとなる。また、組み合わせて１つの修正ステートとすることで、組み合わせの設定が容易になる。
【００２９】
特定の設定において、１つ以上の部分的領域モードを使用でき、各領域では複数の画像修正ステートを適用できるが、多くの場合、すべての領域モードと画像修正ステートとの組み合わせが同時に適用できるわけではない。例えば、ユーザは、第１の領域モードとして楕円形の被写体領域に対して白黒とする画像修正ステートを選択し、背景領域に対して修正なし（カラー）の画像修正ステートを選択できる。さらに、ユーザは第２の領域モードとして、正方形の被写体領域について修正なし（カラー）の画像修正ステートを選択し、この第２の領域モードの背景領域に対しては白黒とする画像修正ステートを選択することもできる。これらの２つの領域モードは、一度には適用できない。一方、ユーザはこれら２つの領域モードのいずれかと、被写体領域に対して歪み効果（distortion effect）を与える画像修正ステートとの組み合わせを選択することができる。
【００３０】
セレクタ２０は、例えば変更設定の適用のための単一のスイッチのような物理的手段や、何らかのソフトウエア的手法によって、両立できないモードや両立できない画像修正ステートをそれぞれ相互に排除する。セレクタ２０は、ユーザに対し、例えば、一つの変更設定について一つの領域のみの選択を許可したり、一つの領域について一つの画像修正のみの選択を許可するなど、特定の組み合わせの選択のみを許すようにしてもよい。操作を容易にするため、各変更設定は、ただ一つの領域モードを備えることが好ましく、また、カメラ１０は、画像修正ステートを選択する前、又は選択するとともに、この領域モードを選択するよう、ユーザに対して要求することが好ましい。
【００３１】
次に、図８〜図１２を参照しつつ説明する。セレクタ２０は、ユーザにアクセスでき、また、手動ないし機械的に動作して指定部２２，２４を切り替え、変更設定を変化させるオペレータインタフェース２８を備えている。オペレータインタフェース２８は、選択された変更設定を表すインジケータを含むことが非常に好ましく、さらに、領域と対応する変更設定の画像修正ステートとを表示することがより好ましい。
【００３２】
図８は、前もって設定された１組の変更設定を有する使い切りカメラ１０のオペレータインタフェース２８を表す図である。このオペレータインタフェース２８は、「Ａ」と表示されたインジケータが付された第１のポジションと、「Ｂ」と表示されたインジケータが付された第２のポジションとの間で動くボタン３０を備える。図８では、「Ａ」と「Ｂ」のどちらを選んだかに応じて枝分かれした矢印がカメラ１０ａから引き出されている。それぞれの「Ａ」，「Ｂ」の枝は、ファインダの視野３２，３３で見えるシーンの内容と、それぞれに対応する最終画像３４，３６を示す。第１の変更設定（文字「Ａ」で示されている）では、修正ステートは、修正なしのステートであって、その領域モードは全体を表している。第２の変更設定（文字「Ｂ」で示されている）では、中央に縦長の楕円形被写体領域が設定され、背景領域（符号３９で示される）の修正ステートは、修正なしであり、楕円形の被写体領域（符号３８で示される）の修正ステートは、その部分の画像を１８０度回転させるものとなっている。最終画像３４，３６は、設定「Ａ」での修正なしのシーンと、中央部の縦長楕円形の部分を１８０度回転したシーンがそれぞれ図示されている。
【００３３】
図９は、再使用可能なカメラ１０ｂのオペレータインタフェース２８を表し、このオペレータインタフェース２８は、領域モード用、領域用、変更ステート用の個別のボタン３０と、液晶ディスプレイ（ＬＣＤ）４４とを含む。また、このＬＣＤ４４は現在選択されている変更設定を表すコードを表示する。このセレクタ２０に適した領域モードとそれに関連したコード４０との例が図２〜図７に示されている。このコードの文字は対応する領域にオーバーレイして表示されている。次の［表１］は、適切な修正ステートと対応するコードとの一例を示したものである。変更設定は、関連する領域と修正ステートのコードの組み合わせによって指定できる。
【００３４】
【表１】
0004175747.tif 000002
オペレータインタフェース２８は、変更設定又は変更設定のうち、ユーザが変更可能な設定をユーザに対して表示するインジケータ４２を含む。インジケータ４２とオペレータインタフェース２８全体の内容は厳密に決められるものではなく、カメラのコスト等の要件に合致するよう変更してよい。例えばオペレータインタフェース２８は、図８に示したように、モールド又は印刷された形態でのマークをトグル３０の異なる位置に合わせて配置したインジケータ４２を含んでもよい。このインジケータは、この場合、２つの予め設定された変更設定「Ａ」と「Ｂ」とを表示する。オペレータインタフェース２８は、また、図９に示したカメラ１０のように、ディスプレイ４４と、複数のボタン３０その他のアクチュエータの形態であってもよい。この場合には、インジケータ４２は、液晶ディスプレイやその他の表示ユニット上の文字、グラフィック、又はその双方による印（indications）である。図９では、インジケータ４２は、現在の変更設定である「ｂ１ｃ２」を表示している。ここで、変更設定「ｂ１ｃ２」はまた、領域モード「ｂｃ」と、領域「ｂ」と「ｃ」とそれらの領域に対応する修正ステート：「１」及び「２」をそれぞれ示している。オペレータインタフェース２８は、さらにその他の形態であってもよい。例えばボタン３０の代わりに音声で駆動するユニットとしてもよい。
【００３５】
選択された変更設定は、引き続く取得イベントのために、領域モード又はモードとそれに対応する単数又は複数の修正ステートを決定する。通常、取得イベントとは、次の写真撮影のことである。変更設定は、ユーザからさらに設定がされるまで、又はキャプチャー後にセレクタ２０がデフォルトの変更設定に戻るまで、さらに必要ならば写真撮影がされずに所定時間が経過するまでの間、維持されている。これは、種々の方法で実現できる。例えば、機械的には、セレクタ２０をフィルム測定機構や、他のフレーム送り機構（図示せず）に結合させることによって実現でき、ディジタル的には、何らかの適切なソフトウエアによって実現できる。
【００３６】
次に、図１を参照して説明する。エンコーダ２６は、画像のキャプチャーに伴い、各画像に対する変更設定を記録する。このエンコードされた符号データは、キャプチャーされた画像とともに確実に保持できる態様で記憶することが非常に好ましい。これは、キャプチャー部１８に記録することで容易に実現できる。ここで使用されるエンコーダ２６と符号データのタイプとは厳密なものではない。例えば、符号データは、磁気的に磁気記録媒体又は磁気記憶領域に記録してもよいし、光学的に、潜像（latent images）又は光学的記録媒体に記録してもよいし、さらに、こすり取ったり、インクでマークを付けたりして物理的に記録してもよいし、さらに他の方法であってもよい。ディジタル的なキャプチャー部１８であれば、使用が容易になるので、キャプチャーされた画像と同じ手順でキャプチャー部１８から読み出すことができるように、符号データが記録されることが好ましい。フィルムを使うキャプチャー部１８では、符号データは、磁気、光学的、又はフィルムフォルダにディジタルの形態で記録でき、また、フィルム上の潜像や、磁気層又はフィルムの一部に磁気的に記録してもよい。使い切りカメラ１０の場合、この符号データをケース１２に記録してもよい。ただし、ケース１２とキャプチャー部１８とが分離され、別個に処理されるときには、キャプチャー部１８と符号データとの関連が失われると情報が消失する危険があるため、好ましくない。
【００３７】
符号データは、自動現像、引き伸ばし処理装置がアクセス可能な形態で変更設定を指定する。この符号データの情報内容は厳密なものではない。符号データは、インジケータと同一の情報内容を保持でき、従ってディジタル処理において各画像を分割して修正する適切なアルゴリズムにアクセスするための１以上のルックアップテーブルやそれと同等のものを必要とする。また、符号データは、それぞれ必要なアルゴリズム、又はアルゴリズムの生成に必要な情報を含ませてもよい。符号データは、キャプチャーユニット内の他の場所に格納された部分的又は完全なアルゴリズムを参照してもよい。特定のアプローチの選択は、利便性や符号データの記録容量に大きく依存している。
【００３８】
符号データは、カメラ１０又はキャプチャー部１８の使用に先だって予め記録されるのではなく、画像のキャプチャーとともに記録される。例えば、符号データは、まずディジタル的な電子メモリに格納され、後にフィルムの磁気層に移すこととしても構わない。
【００３９】
次に、図８〜１２を参照しつつ説明する。カメラ１０は、通常のファインダを使用できるが、ユーザは修正が行われる領域を見ることができないため、修正した画像を構成しにくい。つまり、修正後の画像の構図を考えるのが困難である。従ってカメラ１０は、選択された領域モードの領域に一致する視野の部分を表示するロケータ４８を備えたファインダ４６を含むことが非常に好ましい。カメラ１０が限られた数の異なる領域モードを備えている場合、ファインダ４６は、１以上に区分された領域を常に表示しておいてもよい。この場合には、ユーザは設定に応じて不要な領域モードの区分を無視する必要がある。例えば、図８のカメラ１０ａでは、楕円形領域３８の縁を表示するファインダを備えればよい。
【００４０】
次に、図９〜１２を参照しつつ説明する。本実施形態では、カメラ１０ｃと、１０ｄとは、画像面１６に位置合わせされた視野を表示するファインダ４６を備えている。すなわち、ファインダ４６に表示されたファインダ視野は、画像面１６に形成される画像の画角に一致している。ファインダを通して見られたすべての部分が確実にキャプチャーされるように、この種の技術分野で既知のカメラのファインダは、一般にカメラの画像面より小さい視野を表示する。その視野は製造時の公差、カメラサイズによる制限、コスト等を考慮して、画像面より小さくなることが多い。当業者に公知になっているこのような配慮が、本実施の形態のファインダ４６にも適用される。
【００４１】
ファインダ４６は、図１０〜図１２に示すように、光学的なものであってもよいし、図９に示すように、液晶ディスプレイ（ＬＣＤ）上にディジタル的に表示が行われるような、電子的な表示によるものであっても構わない。図９のカメラ１０では、さらに、補助的な光学ファインダ４７を含む。また、このカメラ１０は、切り替え可能なロケータ４８を含む。ロケータ４８は、図１０〜図１２に図示されているように、光学ファインダ４６に対して物理的に相対的に移動可能な部品であってもよいし、類似の表示を、図９及び図１３〜図１５に示すように、ディジタル的にディジタルファインダ内にしてもよいし、さらに光学的ファインダの視野に重ね合わせて、これらディジタル的な表示を行ってもよい。これらは、マイクロプロセッサのプログラムによっても、その他のコントローラ５０によっても実現できる。尚、図１３，図１４，図１５は、各々図９を縮小した図であるが、ロケータ４８の位置が異なる。
【００４２】
ロケータ４８は、主ポジションと１つ以上の副ポジションとの間で切り替え可能になっている（尚、「主」，「副」は、任意に指定できる）。カメラ１０のセレクタ２０は、ロケータのポジションに応じた主領域モードと１以上の副領域モードとの間で切り替え可能な区画指定部２２ａを備える。ロケータ４８は、各副ポジションにおいて、特定の副領域モードにおいて指定された画像面１６の領域に一致する複数の領域にファインダ視野の区分を定める。ロケータ４８は、主ポジションにおいても、１以上の領域にファインダ視野の区分を定める。これに対応する主領域モードでも複数又は単数の領域が一致する。または、ロケータ４８は、その主ポジションにおいてファインダ視野が単一の領域を定めるように、ファインダ視野からずらすこともできる。この場合、対応する主領域モードも同様に、画像面１６を単一領域に定める。
【００４３】
ロケータ４８は、キャプチャーに先だって、構成すべきファインダ視野の領域をユーザに対して示す。ロケータ４８は、ファインダ視野の端部に沿って配置された１つ以上のポインタと同様の単純な構成としてもよいが、ロケータ４８又はロケータ４８とファインダ４６との組み合わせによって、選択された領域モードにおける全領域の境界を定めることが好ましい。ロケータ４８により１つ以上の領域を覆い隠して（block out）もよいが、全領域が見えるようにして、ユーザがその全領域に対する写真を簡単に構成できることが好ましい。好ましいロケータ４８は、ファインダ視野に置かれ、領域間の境界を位置決めする１つ以上のラインパターン５４を備える。領域の外側境界を表示するためのラインパターン５４を設けてもよいが、ファインダ視野が画像面１６より著しく大きくない場合には設けなくてもよい。図１０〜図１２に示されるような機械的に移動可能なロケータ４８の場合、ラインパターン５４を、接眼部の透明な焦点面（レティクル：reticle）５２、すなわちウインドウ５２に配置するのが好ましい。
【００４４】
ロケータ４８と区画指定部２２ａは互いに独立して切り換えができるが、これはユーザにとって紛らわしい。そこで、操作を容易にするために、ロケータ４８を区画指定部に接続し、ロケータ４８と区画指定部２２ａが連携して切り替わるようにするとよい。それ以外に関しては、このセレクタ２０はすでに説明したセレクタと同じものである。例えば、画像修正を行う領域を特定領域モードに対して予め設定したり、あるいは、区画指定部２２ａは、選択された領域モード内で修正を行う領域を選択すべく切り換えることができる。すでに説明したように、変更設定はエンコーダ２６によって記録される。
【００４５】
図８には、ロケータ４８と連携して切り替わる区画指定部２２ａを有するカメラ１０の使用の一例が図示されている。セレクタ２０のオペレーションインターフェース２８は、「Ａ」ポジションと、「Ｂ」ポジションとの間で移動できる。「Ａ」ポジションにおいては、フィールド視野３２は単一の領域を区分し、画像修正ステートは修正なしである。プリント又は表示された最終画像３４は、キャプチャーされたオリジナルの像をリアルに表す。「Ｂ」ポジションにおいては、ロケータ４８は、反転を行う画像修正ステートを有する楕円の被写体領域３８を示すラインパターン５４を表示する。背景領域３９は、修正を行わない画像修正ステートを有する。結果的な最終画像は、反転した被写体領域を除き、オリジナルの像をリアルに表している。図８に示すように、「Ｂ」ポジションにおいては、画像修正の影響はファインダ視野には現れない。そこで、ファインダ視野は、文字「Ｂ」などの修正のシンボルを表すインジケータや、または実際に修正を示すインジケータを表示しても構わない。
【００４６】
図１０から図１２において、カメラ１０は、光学的なファインダ４６と、ケース内部に形成されたトラック５６に沿って、ファインダ４６に対して物理的に相対的な移動が可能なロケータ４８とを有する。ロケータ４８は、互いに異なるラインパターン５４を保持する３つのレティクル５２を有する。第１のレティクルは、背景領域のみを取り囲み、従って単一の領域を有する領域モードを定めるラインパターン５４を有する。第２のレティクル５２は、楕円形の領域とそれに相補的な背景領域を有する領域モードを定めるラインパターン５４を有する。この楕円形は、その長軸が水平方向にある。第３のレティクル５２は、異なる楕円形の被写体領域とそれに相補的な背景領域を有する別の領域モードを定めるラインパターン５４を有する。第３のレティクルにおいては、楕円の長軸は垂直方向にある。そしてロケータ４８は、ステップモータなどの駆動装置５５により、ファインダ４６に対し、相対的に、第１，第２又は第３のレティクル５２がファインダ４６と一致する位置に移動すればよい。区画指定部２２ａは、３ポジションスイッチ５８を有する。画像の修正は、各領域モード（図１０〜図１２には図示しない）に対して予め設定されるので、区画指定部２２ａは修正指定部２４としての動作を兼ねる。オペレータインタフェース２８は、スイッチ５８のボタン３０を含み、ボタン３０は、カメラ１０のボディ１２に対して移動が可能で、ロケータ４８の位置を変える。オペレータインタフェース２８は、ロケータ４８によって決定するファインダ視野の区画に一致する異なる領域モードを識別するインジケータ４２を、カメラ本体１２に含む。駆動装置５５に接続されたエンコーダ２６は、画像のキャプチャーと同時に作動して、選択された領域モードを含む変更設定を記録する。
【００４７】
図９及び図１３から図１５において、カメラ１０はディジタルディスプレイファインダ４６を含むオペレータインタフェース２８を備えている。ロケータ４８は、図１０〜図１２に示されるカメラのレティクル５２のラインパターンに対応するラインパターン５４を含む。このラインパターンは、ディジタルファインダ４６に接続されたプログラム可能なコンピュータにより、ユーザの選択に応じて形成される。ＬＣＤパネルなどにパターンを形成するための適当なコンピュータプログラム及びアルゴリズムは、広く知られている。区画指定部２２ａは、領域モード（「mode」）、領域（「area」）、修正（「modif」）のそれぞれのボタン３０を有する。ファインダ４６は、選択された変更設定のインジケータ４２を表示する。
【００４８】
図１６に示したカメラ１０は、ＬＣＤパネルファインダ４６を有する。オペレータインタフェース２８は、領域指定部２２に用いる第１のキーパッド６０及び修正指定部２４の第２のキーパッド６２を含む。
【００４９】
図１６及び図１７において、システム６４は、１つ以上のカメラ１０、複数のキャプチャー部１８、及び処理装置（図１７において破線で示されている）を含む。処理装置６６は、画像キャプチャー時に指定された各設定の画像修正ステート及び領域モードに従って画像が修正された後、キャプチャーされた画像を最終画像として可視化する。処理装置６６は、単一の装置でもよいし、複数の個別コンポーネントの組み合わせにより構成されていても構わない。フィルム及びディジタル情報の転送は、ローカル及びリモートコンピュータネットワークの使用を含む任意の好適な手段により行うことができる。システム６４及びその操作方法は、カメラ１０のキャプチャー部１８が写真フィルムのカセットである場合について例示されている。ディジタル的なキャプチャー部１８及びカメラ１０に用いるシステム６４もこれと同様であるが、この場合、処理装置６６において画像をディジタル化する部材は必要ない。
【００５０】
図１６において、ユーザがカメラ１０の領域指定部としてのキーパッド６０のボタン３０を押すと、制御装置５０に信号が送られ、選択された領域モードに一致するラインパタン５４がＬＣＤパネルファインダ４６に表示される。ユーザは、次に「被写体」ボタン３０または「背景」ボタン３０を押すことにより、被写体領域又は背景領域を指定することができる。続いて、指定されたキーの１つを押すことにより、画像修正ステートが選択される。すなわち、「通常」（修正なし）、「５０％増」（領域における像の大きさを５０％拡大する）、「５０％減」（領域における像の大きさを５０％縮小する）、「歪曲１」（第１の所定歪曲）、「歪曲２」（第２の所定歪曲）、及び「白黒」（白黒にする）のいずれかが選択される。他の領域に対しても選択が繰り返される。画像修正ステートは、インジケータによりファインダ４６において識別することもできるし、あるいは、ファインダ４６に直接表示することもできる。次に、画像をキャプチャー部１８にキャプチャーする。図１６において、キャプチャー動作はシャッタボタン７０に向けられた矢印６８により示されている。同時に、エンコーダ２６によって、キャプチャー部１８の磁気記録領域または光学データ記録領域に変更設定が記録される。キャプチャー部１８は、カメラ１０から分離している（フィルム７２として図示されている）。
【００５１】
図１７において、複数のキャプチャー部１８が集められて、フィルム７２をフィルム現像機７４において現像し、フィルム上のキャプチャーされた潜像をフィルム画像として顕在化させる。次に、フィルム画像は、ディジタル入力装置７６（図１７において、投影ランプ（projection lamp）７８及ディジタル検出器８０として例示されている）でディジタル化され、このフィルム画像に対応する一連のディジタル画像を生成して、画像処理装置８２に出力する。各ディジタル画像に対し、読取装置８４によって変更設定が読み取られ、対応する設定信号が修正アルゴリズムソース８６に送られる。修正アルゴリズムソース８６は、適当な画像変更信号を画像処理装置８２に送信する。画像処理装置８２及び修正アルゴリズムソース８６は、いずれもプログラム可能なコンピュータ８５により実現できる。画像処理装置８２は、各画像修正信号に応答し、画像修正ステート及び領域モードにしたがってディジタル画像をディジタル的に修正し、出力信号を出力装置８８（図１７においてはプリンタとして例示されている）に出力する。そして出力装置８８から出力されたディスプレイまたはハードコピーには、変更設定を反映した最終画像が示されている。
【００５２】
特定の好適な実施形態を特に参照して本発明を説明したが、発明の範囲内で、変更または修正が可能である。
【００５３】
本発明のその他の特徴を以下に説明する。
【００５４】
本発明の他の特徴を、番号を付けた以下の各項目において説明する。
【００５５】
１．ケースと、
前記ケースにおいて画像面を定める撮影レンズと、
前記画像面に位置合わせされたファインダ視野を表示するファインダと、
前記ファインダ視野に相対して主ポジションと副ポジションとの間で切り替え可能なロケータであって、前記副ポジションにおいては、前記ファインダ視野の区画を複数の領域に分割するロケータと、
それぞれが複数の画像修正ステートの少なくとも１つを識別する複数の画像修正ステートの間で切り替え可能なセレクタであって、前記キャプチャー設定の少なくとも１つは前記区画を識別し、前記複数の異なる画像修正ステートを前記領域のそれぞれに対応づけるセレクタと、
を含むカメラ。
【００５６】
２．前記１のカメラにおいて、前記領域のそれぞれはキャプチャー時に見ることができることを特徴とするカメラ。
【００５７】
３．前記２のカメラにおいて、前記各領域は、矩形でないことを特徴とするカメラ。
【００５８】
４．前記１のカメラにおいて、前記ロケータは前記主ポジションにおいて前記ファインダ視野全体を区画することを特徴とするカメラ。
【００５９】
５．前記１のカメラにおいて、前記ロケータは、前記主ポジションと複数の副ポジションとの間で切り替え可能であり、前記副ポジションはそれぞれ前記ファインダ視野を異なる複数の領域に分割し、前記ロケータは、前記各区画を識別して異なる画像修正ステートを前記各区画の前記各領域に対応づける少なくとも１つのキャプチャー設定を有することを特徴とするカメラ。
【００６０】
６．前記５のカメラにおいて、前記領域は、それぞれ矩形でないことを特徴とするカメラ。
【００６１】
７．前記１のカメラにおいて、前記ロケータは、前記主ポジションにおいて、前記ファインダ視野の区画を複数の領域に分割し、前記キャプチャー設定のそれぞれは、前記区画の１つを識別して異なる画像修正ステートを前記区画の各領域に対応づけることを特徴とするカメラ。
【００６２】
８．前記１のカメラにおいて、セレクタは前記ロケータに接続された区画指定部を含み、前記区画指定部は、前記ロケータと連動して、主領域モードと副領域モードとの間で切り替え可能であり、前記領域モードはそれぞれ前記区画のそれぞれを指定することを特徴とするカメラ。
【００６３】
９．前記８のカメラにおいて、前記セレクタは前記画像修正のそれぞれを識別するインジケータを切り替え可能な修正指定部を含むことを特徴とするカメラ。
【００６４】
１０．前記９のカメラにおいて、前記修正指定部は、前記区画指定部とは独立して切り替え可能であることを特徴とするカメラ。
【００６５】
１１．前記１のカメラにおいて、前記各画像のキャプチャーに伴い、前記キャプチャー設定を記録するエンコーダをさらに含むことを特徴とするカメラ。
【００６６】
１２．ケースと、
前記ケースにおいて画像面を定める撮影レンズと、
前記撮影レンズによって画像面に形成された一連の画像をキャプチャーするキャプチャー部材と、
前記画像面に位置合わせされたファインダ視野を表示するファインダと、
前記ファインダ視野に相対して主ポジションと副ポジションとの間で切り替え可能なロケータであって、前記主ポジションにおいては前記ファインダ視野の区画を１つ以上の領域に分割し、前記副ポジションにおいては、前記ファインダ視野の区画を複数の領域に分割するロケータと、
前記各キャプチャー設定が前記区画から選択された区画として識別した１つの区画に対し、前記選択された区画の各領域に対して複数の画像修正ステートの１つを識別する、複数の画像修正ステートを切り替え可能なセレクタと、を含むカメラ。
【００６７】
１３．前記１２のカメラにおいて、前記画像のそれぞれのキャプチャーに伴い、前記キャプチャー設定を記録するエンコーダをさらに含むことを特徴とするカメラ。
【００６８】
１４．前記１２のカメラにおいて、前記ロケータは、ラインパタンを有する焦点板を有し、前記ロケータが前記副ポジションにあるとき、前記ラインパタンが前記ファインダ視野を前記領域に分割するように、前記ファインダ視野に配置されることを特徴とするカメラ。
【００６９】
１５．前記１４のカメラにおいて、前記ラインパタンは楕円形状を有することを特徴とするカメラ。
【００７０】
１６．前記１４のカメラにおいて、前記ロケータは前記ポジションの間を前記ファインダに対して相対的に、物理的に移動可能であることを特徴とするカメラ。
【００７１】
１７．前記１２のカメラにおいて、前記ロケータは前記主ポジションと複数の副ポジションとの間で切り替えでき、前記副ポジションのそれぞれは、前記ファインダ視野を複数の領域に分割し、前記セレクタは前記各区画を識別して、前記異なる画像修正ステートを前記各区分の各領域に対応づける前記キャプチャー設定を少なくとも１つ有することを特徴とするカメラ。
【００７２】
１８．前記１７のカメラにおいて、前記ロケータは複数の焦点板を有し、前記焦点板のそれぞれは、異なるラインパタンを有し、前記ロケータが前記各副ポジションにあるときには、前記各ラインパタンが前記ファインダ視野を分割するように前記ファインダ視野に配置されることを特徴とするカメラ。
【００７３】
１９．前記１８のカメラにおいて、前記ラインパタンに、少なくとも２つの異なる方向に向いた長軸を有する楕円形状を含むことを特徴とするカメラ。
【００７４】
２０．前記１９のカメラにおいて、前記ラインパタンは、前記ファインダ視野の中心に位置する矩形を少なくとも１つ含むことを特徴とするカメラ。
【００７５】
２１．写真フィルムとともに使用するカメラであって、
ケースと、
前記ケースにおいて画像面を決定する撮影レンズと、
フィルムの個々のフレームを露光ごとに、前記画像面を通過させて搬送するべく配置されたフィルムシステムと、
前記撮影レンズの対物画像面に位置合わせされたファインダ視野を決定するファインダと、
前記フレームに接続され、背景領域と、当該背景領域の手前にある被写体の領域とを含む焦点板を複数備えたロケータであって、前記フレームに対し、主ポジションと複数の副ポジションの間を移動可能であり、前記各副位置においては、前記背景領域と被写体領域とが前記ファインダ視野を複数の領域に分割するように、個々の焦点板が前記フレームに配置されるロケータと、
複数のキャプチャー設定を切り替え可能なセレクタであって、前記キャプチャー設定のそれぞれは、前記ポジションの１つを選択された位置として識別し、さらに前記副ポジションに対し、前記ファインダ視野の各領域に対する複数の画像修正ステートの１つを識別するセレクタと、
を含むカメラ。
【００７６】
２２．前記２１のカメラであって、前記フレームの前記露光に伴って、前記キャプチャー設定を記録するエンコーダをさらに含むカメラ。
【００７７】
２３．前記２１のカメラにおいて、前記複数の焦点板は、前記ファインダのウインドウの最大辺に平行する長軸を有する楕円形の被写体領域を有する第１の焦点板と、前記ファインダのウインドウの最大辺に垂直な長軸を有する楕円形の被写体領域を有する第２の焦点板とを含むことを特徴とするカメラ。
【００７８】
２４．前記２３のカメラにおいて、前記複数の焦点板は、矩形の背景領域を有する第２の焦点板を含むことを特徴とするカメラ。
【００７９】
２５．前記２４のカメラにおいて、前記被写体領域はそれぞれ、前記ファインダ視野の中心を含むことを特徴とするカメラ。
【図面の簡単な説明】
【図１】  本発明のカメラを示す概略図である。
【図２】  画像面の区画を決定する領域モード及びそのインジケータを示す概略図である。
【図３】  画像面の区画を決定する領域モード及びそのインジケータを示す概略図である。
【図４】  画像面の区画を決定する領域モード及びそのインジケータを示す概略図である。
【図５】  画像面の区画を決定する領域モード及びそのインジケータを示す概略図である。
【図６】  画像面の区画を決定する領域モード及びそのインジケータを示す概略図である。
【図７】  画像面の区画を決定する領域モード及びそのインジケータを示す概略図である。
【図８】  本発明のカメラの別の実施形態及び別の撮像シーケンスを示す概略図である。
【図９】  本発明のカメラの別の実施形態を示す概略図である。
【図１０】  本発明のカメラの別の実施形態を示す概略図である。
【図１１】  図１０に示したカメラにおいて、ロケータ位置及びキャプチャー設定が異なるカメラを示す概略図である。
【図１２】  図１０に示したカメラにおいて、ロケータ位置及びキャプチャー設定が異なるカメラを示す概略図である。
【図１３】  図９の縮小図である。
【図１４】  図９の縮小図である。
【図１５】  図９の縮小図である。
【図１６】  本発明のシステムを示す概略図である。
【図１７】  本発明のシステムを示す概略図である。
【符号の説明】
１０  カメラ、１２  ケース、１４  撮影レンズ、１６  画像面、１８  キャプチャー部、２０  セレクタ、２２  領域指定部、２４  修正指定部、２６  エンコーダ、２８  オペレータインタフェース、３０  ボタン、３２，３３  ファインダ視野、３４，３６  最終画像、３８  被写体領域、３９  背景領域、４２インジケータ、４４  液晶ディスプレイ（ＬＣＤ）、４６  ファインダ、４８ロケータ、５０  コントローラ、５２  焦点板、５４  ラインパタン、６０，６２  キーパッド、６４  システム、６６  処理装置、７０  シャッタボタン、７２  フィルム、７４  現像装置、７６  ディジタル入力装置、７８  投影ランプ、８０  ディジタル検出器、８２  画像処理装置、８４  読取装置、８６  アルゴリズムソース、８８  出力装置。
【図１】
0004175747.tif 000003
【図２】
0004175747.tif 000004
【図３】
0004175747.tif 000005
【図４】
0004175747.tif 000006
【図５】
0004175747.tif 000007
【図６】
0004175747.tif 000008
【図７】
0004175747.tif 000009
【図８】
0004175747.tif 000010
【図９】
0004175747.tif 000011
【図１０】
0004175747.tif 000012
【図１１】
0004175747.tif 000013
【図１２】
0004175747.tif 000014
【図１３】
0004175747.tif 000015
【図１４】
0004175747.tif 000016
【図１５】
0004175747.tif 000017
【図１６】
0004175747.tif 000018
【図１７】
0004175747.tif 000019